(57)【要約】      （修正有）【課題】着火して使用した花火を別途容器を用意することなく水に浸すことができ、さらには、水に浸して濡れた花火を容易に廃棄することができる玩具花火セットを提供する。【解決手段】玩具花火セット５は、外袋１０と、外袋に入れられた花火ユニット２０と、折畳み式容器４０と、折畳み式容器を外袋に取り付けるためのループ状部５０と、外袋の中に入れられた吸収剤入り袋体６０とを有している。花火ユニット２０は、台紙と、台紙に保持された袋入り花火３０を有している。玩具花火セットを使用するには、ループ状部を切断して折畳み式容器を取り出し、予め水を入れておく。着火して使用した花火３０ａを折畳み式容器内の水に浸し、その後、吸収剤入り袋体内の吸収剤を水に入れて、水をゲル状に固めることにより、廃棄を容易とする。【選択図】図１
0003225773.tif 000002
【実用新案登録請求の範囲】
【請求項１】
玩具花火セットであって、
花火（３０ａ）と、
花火を収納するための外袋（１０）と、
着火して使用した花火を浸す水を入れるための容器（４０）と、
水をゲル状に固めるための吸収剤を収納した袋体である吸収剤入り袋体（６０）と、
を有することを特徴とする玩具花火セット。
【請求項２】
吸収剤入り袋体は、外袋に収納されていることを特徴とする請求項１に記載の玩具花火セット。
【請求項３】
容器が外袋に収納されていることを特徴とする請求項１又は２に記載の玩具花火セット。
【請求項４】
容器が外袋の外面に固定されていることを特徴とする請求項１又は２に記載の玩具花火セット。
【請求項５】
ループ状に形成されたループ状部（５０）が設けられ、
外袋に第１穴部（１８）が設けられるとともに、容器に第２穴部（４２Ｈ、４４Ｈ）が設けられ、ループ状部が第１穴部と第２穴部に挿通され、容器が、ループ状部にぶら下がった状態で、外袋の外側に設けられていることを特徴とする請求項１又は２に記載の玩具花火セット。
【請求項６】
外袋は、シート状部材により形成されていて、外袋は、方形状のシート状をなす正面部（１２）と、正面部の３つの辺部から連設された方形状のシート状をなす背面部（１４）と、正面部と背面部のいずれか一方から連設された糊代部（１６）とを有し、糊代部は、正面部と背面部のいずれか他方に接着され、第１穴部は、正面部と背面部に設けられ、正面部と背面部とを重ねた状態では、正面部の第１穴部と背面部の第１穴部とは重なった状態となっており、
ループ状部は、正面部の第１穴部と背面部の第１穴部に挿通されていることを特徴とする請求項５に記載の玩具花火セット。
【請求項７】
花火を収納するための小袋（３０ｂ）が設けられ、花火を小袋に収納してなる袋入り花火（３０）が外袋に収納されていることを特徴とする請求項１又は２又は３又は４又は５又は６に記載の玩具花火セット。
【請求項８】
花火を収納するための小袋（３０ｂ）と、花火を小袋に収納してなる袋入り花火（３０）を保持するための台紙（２１）が設けられ、袋入り花火が台紙に保持された状態で外袋に収納されていることを特徴とする請求項１又は２又は３又は４又は５又は６に記載の玩具花火セット。
【請求項９】
花火を収納するための小袋（３０ｂ）と、花火を小袋に収納してなる袋入り花火（３０）を保持するための台紙（２１）と、ループ状に形成されたループ状部（５０）が設けられ、
外袋は、シート状部材により形成されていて、外袋は、方形状のシート状をなす正面部（１２）と、正面部の３つの辺部から連設された方形状のシート状をなす背面部（１４）と、正面部と背面部のいずれか一方から連設された糊代部（１６）とを有し、糊代部は、正面部と背面部のいずれか他方に接着され、正面部と背面部に第１穴部（１８）が設けられ、正面部と背面部とを重ねた状態では、正面部の第１穴部と背面部の第１穴部とは重なった状態となっており、
容器に第２穴部（４２Ｈ、４４Ｈ）が設けられ、
台紙には、ループ状部を挿通するための穴部である第３穴部（２８）が設けられ、第３穴部は、台紙を外袋に収納した状態で、外袋の第１穴部と重なる位置に設けられ、
ループ状部は、第１穴部と第２穴部と第３穴部に挿通され、容器が、ループ状部にぶら下がった状態で、外袋の外側に設けられていることを特徴とする請求項１又は２に記載の玩具花火セット。
【請求項１０】
容器が、折畳み式の容器であることを特徴とする請求項１又は２又は３又は４又は５又は６又は７又は８又は９に記載の玩具花火セット。
【請求項１１】
玩具花火セットであって、
花火（３０ａ）と、花火を収納した小袋（３０ｂ）からなる袋入り花火（３０）と、袋入り花火を保持する台紙（２１）とを有する花火ユニット（２０）と、
花火ユニットを収納する外袋（１０）と、
着火して使用した花火を浸す水を入れるための折畳み式の容器（４０）と、
ループ状に形成されたループ状部（５０）と、
水をゲル状に固めるための吸収剤を収納した袋体である吸収剤入り袋体（６０）と、
を有し、
外袋は、シート状部材により形成されていて、外袋は、方形状のシート状をなす正面部（１２）と、正面部の３つの辺部から連設された方形状のシート状をなす背面部（１４）と、正面部と背面部のいずれか一方から連設された糊代部（１６）とを有し、糊代部は、正面部と背面部のいずれか他方に接着され、正面部と背面部に第１穴部（１８）が設けられ、正面部と背面部とを重ねた状態では、正面部の第１穴部と背面部の第１穴部とは重なった状態となっており、
容器に第２穴部（４２Ｈ、４４Ｈ）が設けられ、
台紙には、ループ状部を挿通するための穴部である第３穴部（２８）が設けられ、第３穴部は、台紙を外袋に収納した状態で、外袋の第１穴部と重なる位置に設けられ、
ループ状部は、第１穴部と第２穴部と第３穴部に挿通され、容器が、ループ状部にぶら下がった状態で、外袋の外側に設けられ、
吸収剤入り袋体は、外袋に収納されていることを特徴とする玩具花火セット。
【請求項１２】
容器は、シート状部材からなる容器正面部（４２）と、シート状部材からなる容器背面部（４４）と、略方形状のシート状部材からなる容器底面部（４６）とを有し、
容器正面部と容器背面部とは、直線状の底辺と直線状の左辺と直線状の右辺とを有し、容器正面部と容器背面部において、左辺と右辺が底辺に対して略直角をなし、容器正面部における左辺と右辺間の長さと容器背面部における左辺と右辺間の長さは、略同一に形成され、
容器底面部の左右方向の長さは、容器正面部の左辺と右辺間の長さと略同一に形成され、容器底面部は、左右方向の折れ線（４６−１）を介して二つ折りの状態となっていて、
容器底面部の二つ折りの状態における正面側の領域である底面部正面部（４７）における折れ線と反対側の辺部である底辺に沿った領域（４７ａ）が、容器正面部の底辺に沿った領域（４２ａ）の内側の面と接着され、底面部正面部における左辺に沿った領域（４７ｂ）が、容器正面部の左辺に沿った領域（４２ｂ）の内側の面に接着され、底面部正面部における右辺に沿った領域（４７ｃ）が、容器正面部の右辺に沿った領域（４２ｃ）の内側の面に接着され、
容器底面部の二つ折りの状態における背面側の領域である底面部背面部（４８）における折れ線と反対側の辺部である底辺に沿った領域（４８ａ）が、容器背面部の底辺に沿った領域（４４ａ）の内側の面と接着され、底面部背面部における左辺に沿った領域（４８ｂ）が、容器背面部の左辺に沿った領域（４４ｂ）の内側の面に接着され、底面部背面部における右辺に沿った領域（４８ｃ）が、容器背面部の右辺に沿った領域（４４ｃ）の内側の面に接着され、
容器正面部の左辺に沿った領域の内側の面における底面部正面部の左辺に沿った領域に接着されていない領域が、容器背面部の左辺に沿った領域の内側の面における底面部背面部の左辺に沿った領域に接着されていない領域に接着され、
容器正面部の右辺に沿った領域の内側の面における底面部正面部の右辺に沿った領域に接着されていない領域が、容器背面部の右辺に沿った領域の内側の面における底面部背面部の右辺に沿った領域に接着されていない領域に接着され、
容器正面部と容器背面部とが重なり、容器底面部が二つ折りとなった状態では、容器は、折り畳んだ状態となり、一方、容器正面部と容器背面部間の間隔を広げることにより、二つ折りの状態の容器底面部が展開して、容器正面部と容器背面部と容器底面部で囲まれた水の収納空間が形成されることを特徴とする請求項１０又は１１に記載の玩具花火セット。
【請求項１３】
容器は、正方形状の容器底面部（７２）と、容器底面部の正面側の辺部から折れ線を介して連設された容器正面部（７４）と、容器底面部の背面側の辺部から折れ線を介して連設された容器背面部（７６）と、容器底面部の右側面側の辺部から折れ線を介して連設された容器右側面部（７８）と、容器底面部の左側面側の辺部から折れ線を介して連設された容器左側面部（８０）と、容器正面部から折れ線を介して連設されるとともに容器右側面部から折れ線を介して連設され、容器底面部の角部で容器底面部の正面側の辺部と右側面側の辺部が接する角部から連設された折れ線（ｍ５）を介して二つ折りの状態で容器正面部の外側の面に接着された前右折込み片部（８２）と、容器正面部から折れ線を介して連設されるとともに容器左側面部から折れ線を介して連設され、容器底面部の角部で容器底面部の正面側の辺部と左側面側の辺部が接する角部から連設された折れ線（ｍ６）を介して二つ折りの状態で容器正面部の外側の面に接着された前左折込み片部（８４）と、容器背面部から折れ線を介して連設されるとともに容器右側面部から折れ線を介して連設され、容器底面部の角部で容器底面部の背面側の辺部と右側面側の辺部が接する角部から連設された折れ線（ｍ７）を介して二つ折りの状態で容器背面部の外側の面に接着された後右折込み片部（８６）と、容器背面部から折れ線を介して連設されるとともに容器左側面部から折れ線を介して連設され、容器底面部の角部で容器底面部の背面側の辺部と左側面側の辺部が接する角部から連設された折れ線（ｍ８）を介して二つ折りの状態で容器背面部の外側の面に接着された後左折込み片部（８８）と、を有し、容器は、紙製のシート状部材により形成され、
容器底面部には、一方の対角位置の角部間を結ぶ折曲げ用の罫線である第１罫線と、他方の対角位置の角部を結ぶ折曲げ用の罫線である第２罫線が設けられるとともに、第１罫線と第２罫線の交点を通り、容器底面部の右側面側の辺部と平行な折曲げ用の罫線である第３罫線（ｍ１１）が設けられ、第３罫線は、容器正面部及び容器背面部に延長して形成され、容器正面部においては、第３罫線は、容器底面部の正面側の辺部に対して直角に形成され、容器背面部においては、第３罫線は、容器底面部の背面側の辺部に対して直角に形成されており、
第１罫線と第２罫線を容器の内側からみて谷折りとするとともに、第３罫線を容器の内側からみて山折りとすることにより、容器底面部の領域で容器底面部の正面側の辺部と第１罫線と第２罫線とで囲まれた領域及び容器正面部が、二つ折りの状態となるとともに、容器底面部の領域で容器底面部の背面側の辺部と第１罫線と第２罫線とで囲まれた領域及び容器背面部が、二つ折りの状態となって、容器が、折り畳んだ状態となり、一方、容器底面部を展開させることにより、容器底面部と容器正面部と容器背面部と容器右側面部と容器左側面部により囲まれた水の収納空間が形成されることを特徴とする請求項１０又は１１に記載の玩具花火セット。
【請求項１４】
吸収剤入り袋体における袋体（６１）は、略方形状のシート状を呈する正面部（６２）と、略方形状のシート状を呈する背面部（６４）とを有し、正面部の１つの辺部と背面部の１つの辺部は、折れ線（６１）を介して連設され、正面部における背面部と連設されていない３つの辺部に沿った領域（６２ａ）と、背面部における正面部と連設されていない３つの辺部に沿った領域（６４ａ）とが、接着されていることを特徴とする請求項１又は２又は３又は４又は５又は６又は７又は８又は９又は１０又は１１又は１２又は１３に記載の玩具花火セット。
【考案の詳細な説明】
【技術分野】
【０００１】
本考案は、玩具花火セットに関するものである。
【背景技術】
【０００２】
従来より玩具花火セットが存在するが、一般的に玩具花火セットは、図１８に示す玩具花火セット１０５のように、花火ユニット１２０を外袋１１０に入れたものが一般的である。花火ユニット１２０は、台紙１２１に袋入り花火１３０を取り付けたものであり、袋入り花火１３０は、花火を縦長の袋に入れたものである。
【０００３】
なお、出願人は、玩具花火を取り付けるための台紙として、特許文献１に記載の意匠登録出願を行っている。
【先行技術文献】
【特許文献】
【０００４】
【特許文献１】意匠登録第１５７３２１９号公報
【考案の概要】
【考案が解決しようとする課題】
【０００５】
しかし、図１８に示すような花火ユニット１２０を外袋１１０に入れた玩具花火セットを使用する際には、予め水を入れた容器（バケツ等の容器）を用意しておき、花火に着火して使用した後には、該花火を該容器に入れて水に浸すことにより、確実に消火する必要がある。
【０００６】
さらには、水に浸した花火は、濡れた状態の花火を廃棄しなければならず、花火を入れるためのゴミ袋やゴミ箱が濡れないようにするには、予めポリエチレン袋等の防水機能を有する袋に濡れた花火を入れて、花火を入れた袋を捨てるという手間が必要になる。
【０００７】
そこで、本考案は、着火して使用した花火を別途容器を用意することなく水に浸すことができ、さらには、水に浸して濡れた花火を容易に廃棄することができる玩具花火セットを提供することを目的とするものである。
【課題を解決するための手段】
【０００８】
本考案は上記問題点を解決するために創作されたものであって、第１には、玩具花火セットであって、花火（３０ａ）と、花火を収納するための外袋（１０）と、着火して使用した花火を浸す水を入れるための容器（４０）と、水をゲル状に固めるための吸収剤を収納した袋体である吸収剤入り袋体（６０）と、を有することを特徴とする。
【０００９】
第１の構成の玩具花火セットにおいては、容器に水を入れておく。そして、着火して使用した花火を容器内の水に入れて、確実に消化し、花火を着火することによる火花の演出の鑑賞が終了したら、吸収剤入り袋内の吸収剤を水に投入して、水を固める。
【００１０】
よって、玩具花火セットにおいては、容器が設けられているので、着火して使用した花火を別途容器を用意することなく水に浸すことができ、さらには、吸収剤入り袋体が設けられていて、容器内の水を吸収剤により固めることができるので、使用した花火を水に浸して濡れた花火を容易に廃棄することができる。
【００１１】
また、第２には、上記第１の構成において、吸収剤入り袋体は、外袋に収納されていることを特徴とする。
【００１２】
また、第３には、上記第１又は第２の構成において、容器が外袋に収納されていることを特徴とする。
【００１３】
また、第４には、容器が外袋の外面に固定されていることを特徴とする。
【００１４】
また、第５には、上記第１又は第２の構成において、ループ状に形成されたループ状部（５０）が設けられ、外袋に第１穴部（１８）が設けられるとともに、容器に第２穴部（４２Ｈ、４４Ｈ）が設けられ、ループ状部が第１穴部と第２穴部に挿通され、容器が、ループ状部にぶら下がった状態で、外袋の外側に設けられていることを特徴とする。
【００１５】
よって、容器が外袋の外側でぶら下げた状態となっているので、容器の存在を購買者に強調することができる。
【００１６】
また、第６には、上記第５の構成において、外袋は、シート状部材により形成されていて、外袋は、方形状のシート状をなす正面部（１２）と、正面部の３つの辺部から連設された方形状のシート状をなす背面部（１４）と、正面部と背面部のいずれか一方から連設された糊代部（１６）とを有し、糊代部は、正面部と背面部のいずれか他方に接着され、第１穴部は、正面部と背面部に設けられ、正面部と背面部とを重ねた状態では、正面部の第１穴部と背面部の第１穴部とは重なった状態となっており、ループ状部は、正面部の第１穴部と背面部の第１穴部に挿通されていることを特徴とする。
【００１７】
また、第７には、上記第１から第６までのいずれかの構成において、花火を収納するための小袋（３０ｂ）が設けられ、花火を小袋に収納してなる袋入り花火（３０）が外袋に収納されていることを特徴とする。
【００１８】
また、第８には、上記第１から第６までのいずれかの構成において、花火を収納するための小袋（３０ｂ）と、花火を小袋に収納してなる袋入り花火（３０）を保持するための台紙（２１）が設けられ、袋入り花火が台紙に保持された状態で外袋に収納されていることを特徴とする。
【００１９】
また、第９には、上記第１又は第２の構成において、花火を収納するための小袋（３０ｂ）と、花火を小袋に収納してなる袋入り花火（３０）を保持するための台紙（２１）と、ループ状に形成されたループ状部（５０）が設けられ、外袋は、シート状部材により形成されていて、外袋は、方形状のシート状をなす正面部（１２）と、正面部の３つの辺部から連設された方形状のシート状をなす背面部（１４）と、正面部と背面部のいずれか一方から連設された糊代部（１６）とを有し、糊代部は、正面部と背面部のいずれか他方に接着され、正面部と背面部に第１穴部（１８）が設けられ、正面部と背面部とを重ねた状態では、正面部の第１穴部と背面部の第１穴部とは重なった状態となっており、容器に第２穴部（４２Ｈ、４４Ｈ）が設けられ、台紙には、ループ状部を挿通するための穴部である第３穴部（２８）が設けられ、第３穴部は、台紙を外袋に収納した状態で、外袋の第１穴部と重なる位置に設けられ、ループ状部は、第１穴部と第２穴部と第３穴部に挿通され、容器が、ループ状部にぶら下がった状態で、外袋の外側に設けられていることを特徴とする。
【００２０】
よって、容器が外袋の外側でぶら下げた状態となっているので、容器の存在を購買者に強調することができる。
【００２１】
また、第１０には、上記第１から第９までのいずれかの構成において、容器が、折畳み式の容器であることを特徴とする。
【００２２】
また、第１１には、玩具花火セットであって、花火（３０ａ）と、花火を収納した小袋（３０ｂ）からなる袋入り花火（３０）と、袋入り花火を保持する台紙（２１）とを有する花火ユニット（２０）と、花火ユニットを収納する外袋（１０）と、着火して使用した花火を浸す水を入れるための折畳み式の容器（４０）と、ループ状に形成されたループ状部（５０）と、水をゲル状に固めるための吸収剤を収納した袋体である吸収剤入り袋体（６０）と、を有し、外袋は、シート状部材により形成されていて、外袋は、方形状のシート状をなす正面部（１２）と、正面部の３つの辺部から連設された方形状のシート状をなす背面部（１４）と、正面部と背面部のいずれか一方から連設された糊代部（１６）とを有し、糊代部は、正面部と背面部のいずれか他方に接着され、正面部と背面部に第１穴部（１８）が設けられ、正面部と背面部とを重ねた状態では、正面部の第１穴部と背面部の第１穴部とは重なった状態となっており、容器に第２穴部（４２Ｈ、４４Ｈ）が設けられ、台紙には、ループ状部を挿通するための穴部である第３穴部（２８）が設けられ、第３穴部は、台紙を外袋に収納した状態で、外袋の第１穴部と重なる位置に設けられ、ループ状部は、第１穴部と第２穴部と第３穴部に挿通され、容器が、ループ状部にぶら下がった状態で、外袋の外側に設けられ、吸収剤入り袋体は、外袋に収納されていることを特徴とする。
【００２３】
第１１の構成の玩具花火セットにおいては、ループ状部を切断して、容器を玩具花火セットから分離して取り出し、容器を容器状にして水を入れておく。そして、着火して使用した花火を折畳み式容器内の水に入れて、確実に消化し、花火を着火することによる火花の演出の鑑賞が終了したら、吸収剤入り袋内の吸収剤を水に投入して、水を固める。
【００２４】
よって、玩具花火セットにおいては、容器が設けられているので、着火して使用した花火を別途容器を用意することなく水に浸すことができ、さらには、吸収剤入り袋体が設けられていて、容器内の水を吸収剤により固めることができるので、使用した花火を水に浸して濡れた花火を容易に廃棄することができる。
【００２５】
また、容器が外袋の外側でぶら下げた状態となっているので、容器の存在を購買者に強調することができる。
【００２６】
なお、上記第６、第９、第１１の構成において、「正面部と背面部のいずれか一方から連設された糊代部（１６）」を「正面部と背面部のいずれか一方から連設された糊代部で、正面部と背面部が連設された辺部以外の辺部から連設された糊代部（１６）」としてもよい。
【００２７】
また、第１２には、上記第１０又は第１１の構成において、容器は、シート状部材からなる容器正面部（４２）と、シート状部材からなる容器背面部（４４）と、略方形状のシート状部材からなる容器底面部（４６）とを有し、容器正面部と容器背面部とは、直線状の底辺と直線状の左辺と直線状の右辺とを有し、容器正面部と容器背面部において、左辺と右辺が底辺に対して略直角をなし、容器正面部における左辺と右辺間の長さと容器背面部における左辺と右辺間の長さは、略同一に形成され、容器底面部の左右方向の長さは、容器正面部の左辺と右辺間の長さと略同一に形成され、容器底面部は、左右方向の折れ線（４６−１）を介して二つ折りの状態となっていて、容器底面部の二つ折りの状態における正面側の領域である底面部正面部（４７）における折れ線と反対側の辺部である底辺に沿った領域（４７ａ）が、容器正面部の底辺に沿った領域（４２ａ）の内側の面と接着され、底面部正面部における左辺に沿った領域（４７ｂ）が、容器正面部の左辺に沿った領域（４２ｂ）の内側の面に接着され、底面部正面部における右辺に沿った領域（４７ｃ）が、容器正面部の右辺に沿った領域（４２ｃ）の内側の面に接着され、容器底面部の二つ折りの状態における背面側の領域である底面部背面部（４８）における折れ線と反対側の辺部である底辺に沿った領域（４８ａ）が、容器背面部の底辺に沿った領域（４４ａ）の内側の面と接着され、底面部背面部における左辺に沿った領域（４８ｂ）が、容器背面部の左辺に沿った領域（４４ｂ）の内側の面に接着され、底面部背面部における右辺に沿った領域（４８ｃ）が、容器背面部の右辺に沿った領域（４４ｃ）の内側の面に接着され、容器正面部の左辺に沿った領域の内側の面における底面部正面部の左辺に沿った領域に接着されていない領域が、容器背面部の左辺に沿った領域の内側の面における底面部背面部の左辺に沿った領域に接着されていない領域に接着され、容器正面部の右辺に沿った領域の内側の面における底面部正面部の右辺に沿った領域に接着されていない領域が、容器背面部の右辺に沿った領域の内側の面における底面部背面部の右辺に沿った領域に接着されていない領域に接着され、容器正面部と容器背面部とが重なり、容器底面部が二つ折りとなった状態では、容器は、折り畳んだ状態となり、一方、容器正面部と容器背面部間の間隔を広げることにより、二つ折りの状態の容器底面部が展開して、容器正面部と容器背面部と容器底面部で囲まれた水の収納空間が形成されることを特徴とする。
【００２８】
また、第１３には、上記第１０又は第１１の構成において、容器は、正方形状の容器底面部（７２）と、容器底面部の正面側の辺部から折れ線を介して連設された容器正面部（７４）と、容器底面部の背面側の辺部から折れ線を介して連設された容器背面部（７６）と、容器底面部の右側面側の辺部から折れ線を介して連設された容器右側面部（７８）と、容器底面部の左側面側の辺部から折れ線を介して連設された容器左側面部（８０）と、容器正面部から折れ線を介して連設されるとともに容器右側面部から折れ線を介して連設され、容器底面部の角部で容器底面部の正面側の辺部と右側面側の辺部が接する角部から連設された折れ線（ｍ５）を介して二つ折りの状態で容器正面部の外側の面に接着された前右折込み片部（８２）と、容器正面部から折れ線を介して連設されるとともに容器左側面部から折れ線を介して連設され、容器底面部の角部で容器底面部の正面側の辺部と左側面側の辺部が接する角部から連設された折れ線（ｍ６）を介して二つ折りの状態で容器正面部の外側の面に接着された前左折込み片部（８４）と、容器背面部から折れ線を介して連設されるとともに容器右側面部から折れ線を介して連設され、容器底面部の角部で容器底面部の背面側の辺部と右側面側の辺部が接する角部から連設された折れ線（ｍ７）を介して二つ折りの状態で容器背面部の外側の面に接着された後右折込み片部（８６）と、容器背面部から折れ線を介して連設されるとともに容器左側面部から折れ線を介して連設され、容器底面部の角部で容器底面部の背面側の辺部と左側面側の辺部が接する角部から連設された折れ線（ｍ８）を介して二つ折りの状態で容器背面部の外側の面に接着された後左折込み片部（８８）と、を有し、容器は、紙製のシート状部材により形成され、容器底面部には、一方の対角位置の角部間を結ぶ折曲げ用の罫線である第１罫線と、他方の対角位置の角部を結ぶ折曲げ用の罫線である第２罫線が設けられるとともに、第１罫線と第２罫線の交点を通り、容器底面部の右側面側の辺部と平行な折曲げ用の罫線である第３罫線（ｍ１１）が設けられ、第３罫線は、容器正面部及び容器背面部に延長して形成され、容器正面部においては、第３罫線は、容器底面部の正面側の辺部に対して直角に形成され、容器背面部においては、第３罫線は、容器底面部の背面側の辺部に対して直角に形成されており、第１罫線と第２罫線を容器の内側からみて谷折りとするとともに、第３罫線を容器の内側からみて山折りとすることにより、容器底面部の領域で容器底面部の正面側の辺部と第１罫線と第２罫線とで囲まれた領域及び容器正面部が、二つ折りの状態となるとともに、容器底面部の領域で容器底面部の背面側の辺部と第１罫線と第２罫線とで囲まれた領域及び容器背面部が、二つ折りの状態となって、容器が、折り畳んだ状態となり、一方、容器底面部を展開させることにより、容器底面部と容器正面部と容器背面部と容器右側面部と容器左側面部により囲まれた水の収納空間が形成されることを特徴とする。
【００２９】
また、第１４には、上記第１から第１３までのいずれかの構成において、吸収剤入り袋体における袋体（６１）は、略方形状のシート状を呈する正面部（６２）と、略方形状のシート状を呈する背面部（６４）とを有し、正面部の１つの辺部と背面部の１つの辺部は、折れ線（６１）を介して連設され、正面部における背面部と連設されていない３つの辺部に沿った領域（６２ａ）と、背面部における正面部と連設されていない３つの辺部に沿った領域（６４ａ）とが、接着されていることを特徴とする。
【考案の効果】
【００３０】
本考案に基づく玩具花火セットによれば、容器が設けられているので、着火して使用した花火を別途容器を用意することなく水に浸すことができ、さらには、吸収剤入り袋体が設けられていて、容器内の水を吸収剤により固めることができるので、使用した花火を水に浸して濡れた花火を容易に廃棄することができる。
【図面の簡単な説明】
【００３１】
【図１】玩具花火セットの正面図である。
【図２】外袋の正面図である。
【図３】花火ユニットの正面図である。
【図４】台紙の正面図である。
【図５】折畳み式容器の斜視図である。
【図６】折畳み式容器の分解斜視図である。
【図７】吸収剤入り袋を示す図であり、（ａ）は吸収剤入り袋の正面図であり、（ｂ）は吸収剤入り袋の展開図である。
【図８】袋入り花火を台紙に保持させる方法を説明する説明図である。
【図９】袋入り花火を台紙に保持させる方法を説明する説明図である。
【図１０】袋入り花火を台紙に保持させる方法を説明する説明図である。
【図１１】袋入り花火を台紙に保持させる方法を説明する説明図である。
【図１２】袋入り花火を台紙に保持させる方法を説明する説明図である。
【図１３】折畳み式容器の使用方法を説明する説明図である。
【図１４】折畳み式容器の使用方法を説明する説明図である。
【図１５】折畳み式容器の他の例を示す斜視図である。
【図１６】折畳み式容器の他の例を示す展開図である。
【図１７】折畳み式容器の他の例の使用方法を示す説明図である。
【図１８】従来の玩具花火セットを説明する説明図である。
【考案を実施するための形態】
【００３２】
本考案においては、着火して使用した花火を別途容器を用意することなく水に浸すことができ、さらには、水に浸して濡れた花火を容易に廃棄することができる玩具花火セットを提供するという目的を以下のようにして実現した。
【００３３】
本考案に基づく玩具花火セット５は、図１〜図７に示すように構成され、玩具花火セット５は、外袋１０と、外袋１０に収納された花火ユニット２０と、折畳み式容器４０と、折畳み式容器４０を外袋１０に取り付けるためのループ状部５０と、外袋１０の中に収納された吸収剤入り袋体６０とを有している。
【００３４】
ここで、外袋１０は、縦長の扁平状の袋体であり、方形状（具体的には、長方形状）の正面部１２と、方形状（具体的には、長方形状）の背面部１４と、正面部１２の下端から連設された糊代部１６とを有し、外袋１０は、シート状部材により形成され、具体的には、合成樹脂、例えば、ＰＰ（ポリプロピレン）製のシート状部材により形成されている。なお、図２の例では、正面部１２には、透明部１２ａが設けられ、正面部１２における透明部１２ａ以外の領域と、背面部１４の全面には印刷が施されている。この透明部１２ａを介して、内部の花火を視認することができる。
【００３５】
背面部１４は、正面部１２における糊代部１６が連設された辺部以外の３つの辺部から連設されている。糊代部１６は、正面部１２の辺部で、正面部１２と背面部１４が連設された辺部（つまり、上記３つの辺部）以外の辺部から連設されている。
【００３６】
また、正面部１２の上部と背面部１４の上部には、穴部（第１穴部）１８が設けられ、この穴部１８にループ状部５０が挿通される。正面部１２と背面部１４とを重ねた状態では、正面部１２の穴部１８と背面部１４の穴部１８とは重なった状態となっている。
【００３７】
糊代部１６を正面部１２に対して折り曲げた状態で、糊代部１６を背面部１４の外側の下側領域に接着することにより、外袋１０が閉じた状態となる。
【００３８】
なお、外袋１０において、糊代部１６が正面部１２から連設されているとしたが、背面部１４から連設された構成としてもよく、その場合には、糊代部は、正面部１２の外側の下側領域に接着することになる。
【００３９】
次に、花火ユニット２０は、図３に示すように、台紙２１と、台紙２１に保持された複数の袋入り花火３０と、台紙２１に取り付けられたろうそく３２からなるユニットである。
【００４０】
台紙２１は、図４に示すように構成され、長方形状のシート状部材に複数の花火保持部２２と、複数の差込み用切込み２４と、ろうそく保持部２６が設けられている。花火保持部２２と差込み用切込み２４とろうそく保持部２６は、台紙２１を構成するシート状部材に切込みを形成することにより設けられている。この台紙２１は、上記特許文献１で示される台紙である。台紙２１は、具体的には、厚紙等の紙製のシート状部材により形成されている。
【００４１】
花火保持部２２は、略帯状の幅狭部２２ａと、幅狭部２２ａの先端に設けられた台形形状の幅広部２２ｂとを有し、花火保持部２２には、略Ｕ字状の切込みを形成することにより係止部２２ｃが設けられている。花火保持部２２に隣接して半円状の穴部２２ｄが設けられている。花火保持部２２は、複数設けられ、上側から下側に向けて、花火保持部群２２Ａ、花火保持部群２２Ｂ、花火保持部群２２Ｃ、花火保持部群２２Ｄの順に設けられ、花火保持部群２２Ａにおいては、３つの花火保持部が横方向に一列に設けられ、花火保持部群２２Ｂにおいては、２つの花火保持部が横方向に一列に設けられ、花火保持部群２２Ｃにおいては、３つの花火保持部が横方向に一列に設けられ、花火保持部群２２Ｄにおいては、２つの花火保持部が横方向に一列に設けられている。
【００４２】
差込み用切込み２４は、円の略４分の１をなす円弧状の切込みであり、各花火保持部２２の下方の位置に上下方向に複数（具体的には、３つ）の差込み用切込み２４が設けられている。なお、最上位置の差込み用切込み２４（つまり、上下方向に並んだ３つの差込み用切込み２４のうち最上位置のもの）は、花火保持部群２２Ｃと花火保持部群２２Ｄの間の位置に設けられている。
【００４３】
また、ろうそく保持部２６は、台紙２１の正面視における下端の角部の領域に設けられ、略Ｚ字状の切込みにより形成されている。
【００４４】
また、台紙２１の上端領域には、穴部（第３穴部）２８が設けられている。この穴部２８は、線状部材５２を挿通するための穴部であり、台紙２１の左右方向の略中央位置に設けられ、台紙２１の穴部１８に対応する位置に設けられ、台紙２１を外袋１０に収納した際には、台紙２１の穴部２８と外袋１０の穴部１８が重なって（つまり、台紙２１を外袋１０に収納した状態では、穴部２８は、穴部１８と重なる位置に設けられている）、穴部１８と穴部２８にループ状部５０の線状部材５２を挿通できるようになっている。
【００４５】
花火は、袋入り花火３０の状態で台紙２１に取り付けられるが、袋入り花火３０の下端を差込み用切込み２４に差し込むとともに、花火保持部２２により袋入り花火３０を台紙２１に固定させることにより袋入り花火３０が台紙２１に保持される。
【００４６】
花火保持部２２により袋入り花火３０を台紙２１に固定する方法は、以下のとおりである。すなわち、横方向に同じ位置にある上下一対の花火保持部２２を正面側に引き出し、図８に示すように、該一対の花火保持部２２と台紙２１の間に袋入り花火３０を配置する。その際、袋入り花火３０の長手方向の下端を差込み用切込み２４に差し込んでおく。花火保持部２２を手前側に引き出すには、花火保持部２２に隣接した半円状の穴部２２ｄに指を入れて花火保持部２２に指を引っ掛けることにより、花火保持部２２の引出しが容易となる。その後、図９に示すように、係止部２２ｃを摘んで幅広部２２ｂ側に回動させながら、幅広部２２ｂを幅広部２２ｂの領域に形成された差込み穴２２ｂ−１（図９参照）に差し込み、さらに係止部２２ｃを回動させて、図１０に示すように、係止部２２ｃが差込み穴２２ｂ−１に隣接した被係止領域２３に接した状態となったら、指で係止部２２ｃにおける差込み穴２２ｂ−１上の領域を押し込む。すると、係止部２２ｃの先端が被係止領域２３の裏側に至って、係止部２２ｃが被係止領域２３に係止する。係止部２２ｃが被係止領域２３に係止した状態では、図１１、図１２に示すようになり、幅広部２２ｂは、幅狭部２２ａの領域に形成された開口部２９の縁部に係止する。以上のようにして、袋入り花火３０が台紙２１に保持される。
【００４７】
以上のようにして、粘着テープを使用することなく、袋入り花火３０を台紙２１に保持させることができる。なお、図８〜図１２において、袋入り花火３０の領域を理解しやすくするために、袋入り花火３０の領域には、砂模様のハッチングが施されている。
【００４８】
また、袋入り花火３０は、複数の花火３０ａと、花火３０ａを入れる細長長方形状の袋体である小袋３０ｂとを有し、小袋３０ｂは、例えば、ＰＰ（ポリプロピレン）により形成されている。
【００４９】
なお、外袋１０と花火ユニット２０により、玩具花火セット本体７が構成される。
【００５０】
次に、折畳み式容器４０は、シート状部材により形成され、扁平状に折り畳み可能な袋体であり、合成樹脂製（例えば、ＰＰ（ポリプロピレン）製）のシート状部材により形成されている。折畳み式容器４０は、消火用の袋体であり、中に水を入れて使用する。
【００５１】
すなわち、折畳み式容器４０は、図６に示すように形成され、方形状（具体的には、横長長方形状）のシート状部材からなる正面部（容器正面部）４２と、方形状（具体的には、横長長方形状）で正面部４２と同大同形状のシート状部材からなる背面部（容器背面部）４４と、方形状（具体的には、横長長方形状）のシート状部材からなる底面部（容器底面部）４６とを有している。
【００５２】
正面部４２と背面部４４は、方形状（具体的には、横長長方形状）を呈し、少なくとも、直線状の底辺と、直線状の右辺と、直線状の左辺とを有し、右辺と左辺が、底辺と直角（略直角としてもよい）をなし、正面部４２における左辺と右辺間の長さと背面部４４における左辺と右辺間の長さは、同一（略同一としてもよい）に形成されている。
【００５３】
また、底面部４６は、長手方向（左右方向）の中心線に沿って形成された折れ線４６−１を介して折曲された状態で、正面部４２と背面部４４の下端領域に接着されるとともに、正面部４２と背面部４４が接着されている。底面部４６の左右方向の長さは、正面部４２の左辺と右辺間の長さと略同一になっている。
【００５４】
すなわち、底面部４６は、折れ線４６−１を介して折り曲げた状態においては、折れ線４６−１を介して二つ折りの状態における正面側の領域である正面部（底面部正面部）４７と背面側の領域である背面部（底面部背面部）４８とを有し、正面部４７の下辺に沿った領域である帯状領域４７ａが正面部４２の下辺に沿った領域である帯状領域４２ａの内側に接着され、正面部４７の左辺に沿った領域である帯状領域４７ｂが、正面部４２の左辺に沿った領域である帯状領域４２ｂの内側の下側領域に接着され、正面部４７の右辺に沿った領域である帯状領域４７ｃが、正面部４２の右辺に沿った領域である帯状領域４２ｃの内側の下側領域に接着されている。
【００５５】
帯状領域４２ａは、正面部４２の底辺に沿った領域であり、帯状領域４２ｂは、正面部４２の左辺に沿った領域であり、帯状領域４２ｃは、正面部４２の右辺に沿った領域である。また、帯状領域４７ａは、正面部４７の折れ線４６−１に沿った辺部以外の３つの辺部における折れ線４６−１と反対側の辺部である底辺に沿った領域であり、帯状領域４７ｂは、正面部４７における左辺に沿った領域であり、帯状領域４７ｃは、正面部４７における右辺に沿った領域である。また、正面部４７は、底面部４６の二つ折りの状態における正面側の領域である。
【００５６】
同様に、背面部４８の下辺に沿った領域である帯状領域４８ａが背面部４４の下辺に沿った領域である帯状領域４４ａの内側に接着され、背面部４８の左辺に沿った領域である帯状領域４８ｂが、背面部４４の左辺に沿った領域である帯状領域４４ｂの内側の下側領域に接着され、背面部４８の右辺に沿った領域である帯状領域４８ｃが、背面部４４の右辺に沿った領域である帯状領域４４ｃの内側の下側領域に接着されている。
【００５７】
帯状領域４４ａは、背面部４４の底辺に沿った領域であり、帯状領域４４ｂは、背面部４４の左辺に沿った領域であり、帯状領域４４ｃは、背面部４４の右辺に沿った領域である。また、帯状領域４８ａは、背面部４８の折れ線４６−１に沿った辺部以外の３つの辺部における折れ線４６−１と反対側の辺部である底辺に沿った領域であり、帯状領域４８ｂは、背面部４８における左辺に沿った領域であり、帯状領域４８ｃは、背面部４８における右辺に沿った領域である。また、背面部４８は、底面部４６の二つ折りの状態における背面側の領域である。
【００５８】
さらに、帯状領域４２ｂと帯状領域４４ｂにおける底面部４６と接着されていない領域、すなわち、帯状領域４２ｂの内側の面における帯状領域４７ｂに接着されていない領域と、帯状領域４４ｂの内側の面における帯状領域４８ｂに接着されていない領域が、互いに接着され、また、帯状領域４２ｃと帯状領域４４ｃにおける底面部４６と接着されていない領域、すなわち、帯状領域４２ｃの内側の面における帯状領域４７ｃに接着されていない領域と、帯状領域４４ｃの内側の面における帯状領域４８ｃに接着されていない領域が、互いに接着されている。
【００５９】
図６のハッチングに示すように、正面部４２においては、帯状領域４２ａ〜４２ｃにより全体に略コ字状に形成され、背面部４４においては、帯状領域４４ａ〜４４ｃにより全体に略コ字状に形成されている。また、図６のハッチングに示すように、正面部４７においては、帯状領域４７ａ〜４７ｃにより全体に略コ字状に形成され、背面部４８においては、帯状領域４８ａ〜４８ｃにより全体に略コ字状に形成されている。
【００６０】
なお、正面部４２の上端領域には、穴部（第２穴部）４２Ｈが設けられ、背面部４４の上端領域には、穴部（第２穴部）４４Ｈが設けられ、穴部４２Ｈと穴部４４Ｈは、ともに同じ位置に設けられている。つまり、折畳み式容器４０を畳んだ状態（つまり、正面部４２と背面部４４を重ねた状態）では、穴部４２Ｈと穴部４４Ｈとが重なって１つの穴部が構成されている。穴部４２Ｈ、４４Ｈには、ループ状部５０が挿通される。折畳み式容器４０は、ループ状部５０にぶら下がった状態では、外袋１０の外側に設けられる。
【００６１】
折畳み式容器４０においては、正面部４２と背面部４４間の間隔を広げるとともに、折り畳まれた状態の底面部４６を展開することにより、を立体的に組み立てられ、底面部４６を折れ線４６−１を介して折り曲げ、正面部４２と背面部４４を重ねることにより折り畳まれた状態となるので、折畳み式容器４０は、折畳み式の容器であるといえる。
【００６２】
また、ループ状部５０は、ループロック又はタグファスナーと呼ばれるものであり、線状部材５２と、線状部材５２の一方の端部に設けられたメス部５４と、線状部材５２の他方の端部に設けられたオス部（図示せず）とが設けられ、オス部をメス部５４に嵌合させて連結することにより、ループ状部５０がループ状に形成される。メス部５４は、筒状（具体的には、円筒状）を呈し、オス部は、略棒状を呈し、メス部５４の筒状の内側に周状に設けられた凹部（又は凸部）と、オス部に周状に設けられた凸部（又は凹部）が嵌合することによりロックするようになっている。
【００６３】
また、吸収剤入り袋体６０は、袋体６１と、袋体６１に封入された吸収剤（図示せず）とを有し、袋体６１は、扁平状の袋体であり、吸収剤入り袋６０は、外袋１０の中に収納されている。袋体６１は、図７に示すように、シート状部材を折れ線６５を介して折曲し、折れ線に沿った辺部以外の辺部に沿って接着することにより袋状に形成されたものである。シート状部材は、合成樹脂製であり、例えば、アルミ粒子をコーティングしたＰＥＴ（ポリエチレンテレフタレート）製のシート状部材により形成されている。
【００６４】
すなわち、方形状のシート状部材の中心線となる折れ線６５を介して、一方が正面部６２、他方が背面部６４となり、正面部６２は、方形状（略方形状としてもよい）のシート状を呈し、背面部６４は、方形状（略方形状としてもよい）のシート状を呈し、正面部６２の１つの辺部と背面部６４の１つの辺部が、折れ線６５を介して連設されている。そして、正面部６２の折れ線６５以外の３つの辺部に沿った領域６２ａ（図７のハッチングで示す領域）と、背面部６４の折れ線６５以外の３つの辺部に沿った領域６４ａ（図７のハッチングで示す領域）とを接着し、折れ線６５以外の辺部に沿った領域（図７では、折れ線６１とは反対側の辺部に沿った領域）に切込み６３を設けることにより、袋体６１が形成される。切込み６３は、吸収剤入り袋体６０を開封するのを容易にするために設けられている。
【００６５】
袋体６１には、吸収剤が封入されている。この吸収剤は、高吸収性樹脂、具体的には、繊維状又は粒子状の高吸収性ポリマーにより構成され、ポリマー粒子としては、デンプン系、セルロース系、合成ポリマー系を用いることができる。吸収剤入り袋体６０に入った吸収剤を水に投入することにより、吸収剤が水を吸収し、水をゲル状に固めることができ、ゲル状になった後は、加圧してもほとんど離水しないようになる。
【００６６】
玩具花火セット５においては、花火ユニット２０が外袋１０に収納された状態で、外袋１０の糊代部１６が背面部１４に接着されて外袋１０が閉状態となっていて、さらに、折畳み式容器４０が外袋１０の外側に設けられ、外袋１０の穴部１８及び台紙２１の穴部２８に挿通されたループ状部５０にぶら下がった状態となっている。つまり、ループ状部５０の線状部材５２が外袋１０の穴部１８及び台紙２１の穴部２８に挿通されるとともに、折畳み式容器４０の穴部４２Ｈ、４４Ｈに挿通された状態で、ループ状部５０のオス部がメス部５４に嵌合されて、ループ状に形成されることにより、折畳み式容器４０がループ状部５０にぶら下がった状態となっている。
【００６７】
上記構成の玩具花火セット５の使用方法について説明する。玩具花火セット５を使用する際には、予めループ状部５０の線状部材５２を切断して、折畳み式容器４０を玩具花火セット５から分離して取り出し、折畳み式容器４０に水Ｗを入れておく。つまり、折畳み式容器４０の正面部４２と背面部４４間の間隔を広げるとともに、折り畳まれた状態の底面部４６を広げて、折畳み式容器４０を立体的に（つまり、容器状に）組み立て、折畳み式容器４０の中に水を入れて図１３のような状態とする。
【００６８】
次に、外袋１０に収納された花火３０ａを取り出す。花火３０ａを取り出すには、外袋１０を開けて、花火ユニット２０を取り出し、取り出した花火ユニット２０において、袋入り花火３０を台紙２１から取り外して、小袋３０ｂから花火３０ａを取り出す。
【００６９】
花火３０ａを取り出したら、花火３０ａに着火して、火花の演出（つまり、色や形状の演出）を鑑賞して楽しむ。火花の演出が終了したら、花火３０ａを水を入れた折畳み式容器４０に入れて、花火３０ａを確実に消火する。このように、複数の花火３０ａについて、花火３０ａの着火と消火を繰り返していく。
【００７０】
複数の花火３０ａについて、火花の演出の鑑賞が終了したら、吸収剤入り袋体６０に入った吸収剤を水に投入して、折畳み式容器４０内の水を固める（つまり、固化する）。すなわち、吸収剤入り袋体６０の切込み６３から吸収剤入り袋体６０を破って吸収剤入り袋体６０を開封し、図１４に示すように、吸収剤を折畳み式容器４０内の水に入れることにより、吸収剤が水を吸収して、水をゲル状に固める。なお、当然、使用した花火３０ａが水の中に入った状態で、水を固める。このように、水が固められた折畳み式容器４０は、使用した花火３０ａが入った状態で廃棄する。つまり、折畳み式容器４０に固められた水と花火３０ａが入った状態で、廃棄すればよい。具体的には、燃えるごみとして廃棄すればよい。使用した花火３０ａを水に入れた際には濡れた状態であるが、水が固められているので、廃棄が容易である。
【００７１】
以上のように、本実施例の玩具花火セット５においては、折畳み式容器４０が設けられているので、着火して使用した花火を別途容器を用意することなく水に浸すことができ、さらには、吸収剤入り袋体６０が設けられていて、折畳み式容器４０内の水を吸収剤により固めることができるので、使用した花火を水に浸して濡れた花火を容易に廃棄することができる。
【００７２】
また、本実施例のよれば、廃棄までを意識したセット内容とできるので、使用した花火の廃棄についてのマナーアップを図ることができる。
【００７３】
また、折畳み式容器４０が外袋１０の外側でぶら下げた状態となっているので、折畳み式容器４０の存在を購買者に強調することができる。
【００７４】
なお、上記の説明においては、折畳み式容器４０がループ状部５０にぶら下がった状態となっているとしたが、折畳み式容器４０を折り畳んだ状態で外袋１０内に収納してもよい。
【００７５】
なお、上記の説明においては、水を入れるための容器として折畳み式容器４０を用いるとしたが、折畳み式容器４０の代わりに、他の折畳み式容器を用いてもよい。他の折畳み式容器としては、例えば、図１５、図１６に示すような折畳み式容器７０が考えられる。折畳み式容器７０は、特開平２０１２−１０１８４４号に記載の紙製容器を応用したものである。
【００７６】
すなわち、折畳み式容器７０は、紙製容器であり、図１６に示すようなシート状ブランクにより形成され、方形状（具体的には、正方形状）の底面部（容器底面部）７２と、底面部７２の正面側の辺部ｍ１から折れ線を介して連設された正面部（容器正面部）７４と、底面部７２の背面側の辺部ｍ２から折れ線を介して連設された背面部（容器背面部）７６と、底面部７２の右側面側の辺部ｍ３から折れ線を介して連設された右側面部（容器右側面部）７８と、底面部７２の左側面側の辺部ｍ４から折れ線を介して連設された左側面部（容器左側面部）８０と、正面部７４から折れ線を介して連設されるとともに、右側面部７８から折れ線を介して連設された折込み片部（前右折込み片部）８２と、正面部７４から折れ線を介して連設されるとともに、左側面部８０から折れ線を介して連設された折込み片部（前左折込み片部）８４と、背面部７６から折れ線を介して連設されるとともに、右側面部７８から折れ線を介して連設された折込み片部（後右折込み片部）８６と、背面部７６から折れ線を介して連設されるとともに、左側面部８０から折れ線を介して連設された折込み片部（後左折込み片部）８８と、を有している。
【００７７】
なお、折畳み式容器７０を構成するシート状のブランクは、具体的には、段ボール製（例えば、薄型段ボール製（特に、両面段ボール製））のブランクであり、厚紙製のブランク等の他の紙製のブランクであってもよい。
【００７８】
底面部７２においては、対角線をなす折れ線ｍ９、ｍ１０が設けられ、一方の対角位置の角部（角部Ｋ１と角部Ｋ４）間を結ぶ折れ線ｍ９と、他方の対角位置の角部（角部Ｋ２と角部Ｋ３）間を結ぶ折れ線ｍ１０が設けられている。折れ線ｍ９、ｍ１０は、折畳み式容器７０の内側からみて谷折りとなる。また、底面部７２には、折れ線ｍ９と折れ線ｍ１０の交点を通り、辺部ｍ３、ｍ４と平行な折れ線ｍ１１が形成され、この折れ線ｍ１１は、折畳み式容器７０の内側からみて山折りとなる。
【００７９】
また、正面部７４と背面部７６と右側面部７８と左側面部８０は、ともに、台形形状を呈し、底面部７２の辺部に沿った辺部である下辺が、下辺と反対側にあり下辺と平行な辺部である上辺よりも短く形成されている。正面部７４と背面部７６と右側面部７８と左側面部８０は、いずれも線対称に形成され、いわゆる等脚台形の形状となっている。なお、正面部７４と背面部７６には、下辺と上辺間に折れ線ｍ１１が設けられ、この折れ線ｍ１１は、底面部７２における折れ線ｍ１１の延長線上に設けられ、折畳み式容器７０の展開状態においては、正面部７４の折れ線ｍ１１と底面部７２の折れ線ｍ１１と背面部７６の折れ線ｍ１１は、１本の直線状に形成されている。折れ線ｍ１１は、折畳み式容器７０の内側からみて山折りとなる。なお、正面部７４においては、折れ線ｍ１１は、底面部７２の正面側の辺部ｍ１に対して直角に形成され、背面部７６においては、折れ線ｍ１１は、底面部７２の背面側の辺部ｍ２に対して直角に形成されている。
【００８０】
また、折込み片部８２、８４、８６、８８には、底面部７２の角部から形成された折れ線が形成され、各折込み片部は、該折れ線を介して二つ折りの状態となる。すなわち、折込み片部８２には、底面部７２の角部Ｋ１（辺部ｍ１と辺部ｍ３が接する角部）から形成された折れ線ｍ５が設けられ、折込み片部８４には、底面部７２の角部Ｋ２（辺部ｍ１と辺部ｍ４が接する角部）から形成された折れ線ｍ６が設けられ、折込み片部８６には、底面部７２の角部Ｋ３（辺部ｍ２と辺部ｍ３が接する角部）から形成された折れ線ｍ７が設けられ、折込み片部８８には、底面部７２の角部Ｋ４（辺部ｍ２と辺部ｍ４が接する角部）から形成された折れ線ｍ８が設けられている。なお、各折込み片部の一対の上辺は、折れ線を介して線対称に形成され、該一対の上辺は、１８０度よりも小さい鈍角をなしている。つまり、一対の上辺の接点は、正面部７４と背面部７６と右側面部７８と左側面部８０の４つの面部のうち、折込み片部が連設された２つの面部との境界をなす辺部の上端同士を結んだ直線よりも外側（上側としてもよい）（底面部７２の角部よりも離れた側）に突出した位置にあり、これにより、折込み片部の面部との接触面積をなるべく大きくしている。例えば、折込み片部８２を例にとると、一対の上辺の接点８２ａは、折込み片部８２が連設された２つの面部である正面部７４と右側面部７８との境界をなす辺部の上端同士を結んだ直線８２Ｌよりも外側（上側としてもよい）（底面部７２の角部（辺部ｍ１と辺部ｍ３の角部）よりも離れた側）に突出した位置にある。なお、折込み片部８２〜８８における各折れ線は、折畳み式容器７０の外側からみて、山折りの状態となる。
【００８１】
また、折込み片部８２、８４、８６、８８における各折込み片部は、二つ折りの状態で、正面部７４又は背面部７６に接着され、折込み片部８２、８４は、二つ折りの状態で正面部７４に接着され（つまり、折込み片部８２において二つ折りをなす折れ線ｍ５よりも正面部７４側の領域と、折込み片部８４において二つ折りをなす折れ線ｍ６よりも正面部７４側の領域が正面部７４に接着されている）、また、折込み片部８６、８８は、二つ折りの状態で背面部７６に接着され（つまり、折込み片部８６において二つ折りをなす折れ線ｍ７よりも背面部７６側の領域と、折込み片部８８において二つ折りをなす折れ線ｍ８よりも背面部７６側の領域が背面部７６に接着されている）。
【００８２】
なお、折畳み式容器７０には、各折れ線に沿って、折曲げ用の罫線が形成されている。特に、折れ線ｍ９、ｍ１０、ｍ１１には、折曲げ用の罫線が形成されている。折れ線ｍ９に沿って形成された罫線が第１罫線であり、折れ線ｍ１０に沿って形成された罫線が第２罫線であり、折れ線ｍ１１に沿って形成された罫線が第３罫線となる。
【００８３】
折畳み式容器７０は、以上のように構成されていて、図１６に示す展開状態においては、左右線対称であるとともに、前後線対称に形成されている。
【００８４】
折畳み式容器７０を容器状に組み立てた状態では、図１５に示す状態となっていて、底面部７２に対して正面部７４と背面部７６と右側面部７８と左側面部８０が斜めに立設した状態となっている。
【００８５】
また、底面部７２と正面部７４と背面部７６には、上記のように折れ線ｍ９、ｍ１０、ｍ１１が設けられているので、折れ線ｍ９、ｍ１０を折畳み式容器７０の内側からみて谷折りとし、折れ線ｍ１１を折畳み式容器７０の内側からみて山折りとすることにより、図１７に示すように、折畳み式容器７０を折り畳んだ状態とすることができる。つまり、正面部７４及び底面部７２の領域で底面部７２の正面側の辺部ｍ１と折れ線ｍ９と折れ線ｍ１０とで囲まれた領域が二つ折りの状態となるとともに、背面部７６及び底面部７２の領域で底面部７２の背面側の辺部ｍ２と折れ線ｍ９と折れ線ｍ１０とで囲まれた領域が二つ折りの状態となって、折畳み式容器７０が、折り畳んだ状態となる。
【００８６】
つまり、底面部７２を展開させることにより、底面部７２と正面部７４と背面部７６と右側面部７８と左側面部８０により囲まれた水の収納空間が形成され、一方、上記のように折り畳むことができるので、折畳み式容器７０は、折畳み式の容器であるといえる。
【００８７】
なお、折込み片部８２、８４、８６、８８は、底面部７２の角部の位置から形成され、正面部７４と背面部７６と右側面部７８と左側面部８０の４つの面部における互いに隣接する面部の間に折込み片部が隙間なく形成されているので、折畳み式容器７０に水を入れても水が折畳み式容器７０から漏れることがない。
【００８８】
このように、折畳み式容器７０を折り畳んだ状態とすることができるので、折畳み式容器４０とループ状部５０を設ける代わりに、折畳み式容器７０を折り畳んだ状態で外袋１０に収納することにより、玩具花火セット５を使用する際には、外袋１０から折畳み式容器７０を取り出して、容器状に組み立てた状態で、水を入れておき、使用した花火３０ａを折畳み式容器７０内に入れて確実に消化させればよい。
【００８９】
なお、複数の花火３０ａについて、火花の演出の鑑賞が終了したら、上記と同様に、吸収剤入り袋体６０に入った吸収剤により、折畳み式容器７０内の水を固めればよい。
【００９０】
なお、折畳み式容器７０は、紙製容器であるので、ごみの廃棄に際して、燃えるごみとプラスチックが分別されている場合でも、燃えるごみとして廃棄することが可能となる。つまり、使用した花火と固化された水は、通常、燃えるごみとして廃棄するので、折畳み式容器７０を紙製容器とすることにより、折畳み式容器７０を含めて燃えるごみとして廃棄することができる。
【００９１】
なお、折畳み式容器７０に穴部を設けて、折畳み式容器７０をループ状部５０によりぶら下げる構成としてもよい。例えば、図１７のように折畳み式容器７０を折り畳んだ状態で、左側面部８０と正面部７４と右側面部７８に穴部（第２穴部）を設けて（正面部７４については、折れ線ｍ１１を介した両側の片部にそれぞれ設ける）、折畳み式容器７０を折り畳んだ状態で、ループ状部５０を該穴部に挿通してぶら下げた状態としてもよい。なお、左側面部８０と正面部７２と右側面部７８に穴部を設ける代わりに、左側面部８０と背面部７６と右側面部７８に穴部（第２穴部）を設けてもよい（その場合も、背面部７６については、折れ線ｍ１１を介した両側の片部にそれぞれ設ける）。
【００９２】
また、上記の説明において、折畳み式容器４０、７０は、ループ状部５０にぶら下げた状態とするか、又は、外袋１０に収納するとしたが、外袋１０の外側の面に固定してもよい。折畳み容器４０、７０を固定する方法としては、例えば、折畳み式容器４０や折畳み式容器７０を折り畳んだ状態で、ホチキス又は接着テープにより外袋１０の外面に固定する方法が考えられる。
【００９３】
また、上記の説明において、水を入れるための容器として折畳み式容器４０、７０を例にとって説明したが、折畳み式の容器でなくてもよく、例えば、バケツ状の容器に袋入り花火３０又は花火３０ａ自体を収納したものが、外袋に収納された構成としてもよい。その場合には、外袋は、扁平状ではなく、底面部と底面部の辺部から立設した側面部を有した立体的な形状のものとするのが好ましい。
【００９４】
また、上記の説明においては、袋入り花火３０が台紙２１に保持されているとして説明したが、小袋３０ｂの構成をなくして、花火３０ａが台紙２１に保持された状態としてもよい。花火３０ａを台紙２１に保持させる方法は、袋入り花火３０を台紙２１に保持させる方法と同様であり、花火３０ａを差込み用切込み２４に差し込むとともに、花火保持部２２により固定することにより、花火３０ａを台紙２１に保持させる。
【００９５】
また、上記の説明においては、袋入り花火３０又は花火３０ａを台紙２１に保持させた状態で外袋１０に収納するとしたが、台紙２１を用いることなく、袋入り花火３０を外袋１０に収納した構成としてもよく、あるいは、台紙２１及び小袋３０ｂの構成を省略して花火３０ａをそのまま外袋１０に収納した構成としてもよい。
【符号の説明】
【００９６】
５  玩具花火セット
７  玩具花火セット本体
１０  外袋
１２  正面部
１２ａ  透明部
１４  背面部
１６  糊代部
１８  穴部
２０  花火ユニット
２１  台紙
２２  花火保持部
２２ａ  幅狭部
２２ｂ  幅広部
２２ｃ  係止部
２２ｄ  穴部
２２Ａ  花火保持部群
２２Ｂ  花火保持部群
２２Ｃ  花火保持部群
２２Ｄ  花火保持部群
２４  差込み用切込み
２６  ろうそく保持部
２８  穴部
３０  袋入り花火
３０ａ  花火
３０ｂ  小袋
３２  ろうそく
４０  折畳み式容器
４２  正面部
４２ａ  帯状領域
４２ｂ  帯状領域
４２ｃ  帯状領域
４４  背面部
４４ａ  帯状領域
４４ｂ  帯状領域
４４ｃ  帯状領域
４６  底面部
４７  正面部
４７ａ  帯状領域
４７ｂ  帯状領域
４７ｃ  帯状領域
４８  背面部
４８ａ  帯状領域
４８ｂ  帯状領域
４８ｃ  帯状領域
５０  ループ状部
５２  線状部材
５４  メス部
６０  吸収剤入り袋体
６１  袋体
６２  正面部
６２ａ  領域
６４  背面部
６４ａ  領域
６５  折れ線
７０  折畳み式容器
７２  底面部
７４  正面部
７６  背面部
７８  右側面部
８０  左側面部
８２  折込み片部
８４  折込み片部
８６  折込み片部
８８  折込み片部
１０５  玩具花火セット
１１０  外袋
１２０  花火ユニット
１２１  台紙
１３０  袋入り花火
ｍ１  辺部
ｍ２  辺部
ｍ３  辺部
ｍ４  辺部
ｍ５  折れ線
ｍ６  折れ線
ｍ７  折れ線
ｍ８  折れ線
ｍ９  折れ線
ｍ１０  折れ線
ｍ１１  折れ線
Ｋ１〜Ｋ４  角部
【図１】
0003225773.tif 000003
【図２】
0003225773.tif 000004
【図３】
0003225773.tif 000005
【図４】
0003225773.tif 000006
【図５】
0003225773.tif 000007
【図６】
0003225773.tif 000008
【図７】
0003225773.tif 000009
【図８】
0003225773.tif 000010
【図９】
0003225773.tif 000011
【図１０】
0003225773.tif 000012
【図１１】
0003225773.tif 000013
【図１２】
0003225773.tif 000014
【図１３】
0003225773.tif 000015
【図１４】
0003225773.tif 000016
【図１５】
0003225773.tif 000017
【図１６】
0003225773.tif 000018
【図１７】
0003225773.tif 000019
【図１８】
0003225773.tif 000020